(57)【要約】  【課題】  干渉露光法で精度高く露光した周期的配列構造のパターン中の一部分が現像されるようにして、構造欠陥を導入すること。  【解決手段】  ひとつの光源で発生したレーザ光を２つの光波に分波し互いに干渉させて行う干渉露光法により、試料上面に予め塗布した化学増感型感光剤を周期配列構造のパターンで露光し、該化学増感型感光剤の露光後現像前のＰＥＢの熱処理において前記化学増感型感光剤に与える熱量に分布を持たせ、前記露光された周期配列構造のパターンの内の充分な熱量が与えられた部分のみのパターンが現像されるようにする。【選択図】  図１
2005099537.tif 000002
【特許請求の範囲】
【請求項１】
ひとつの光源で発生した略コヒーレントな光を複数の光波に分波し互いに干渉させて行う干渉露光法により、試料上面に予め塗布した化学増感型感光剤を周期配列構造のパターンで露光し、該化学増感型感光剤の露光後現像前の熱処理において前記化学増感型感光剤に与える熱量に分布を持たせ、前記露光された周期配列構造のパターンの内の一定温度以上に加熱された部分のみのパターンが現像されるようにしたことを特徴とする周期配列構造のパターン形成方法。
【請求項２】
請求項１に記載のパターン形成方法において、
前記露光後現像前の熱処理は、赤外線ランプあるいは赤外線レーザからの赤外線光により加熱して前記化学増感型感光剤に与える熱量に分布を持たせる処理であることを特徴とするパターン形成方法。
【請求項３】
請求項１に記載のパターン形成方法において、
前記露光後現像前の熱処理は、凹凸形状の加熱プレートの凸部を前記化学増感型感光剤に接触又は近接させて加熱して前記化学増感型感光剤に与える熱量に分布を持たせる処理であることを特徴とするパターン形成方法。
【請求項４】
ひとつの光源で発生した略コヒーレントな光を複数の光波に分波し互いに干渉させ、試料の上面に予め塗布した化学増感型感光剤を周期配列構造のパターンで露光する干渉露光手段と、該干渉露光手段により前記パターンで露光された前記化学増感型感光剤を有する前記試料に対して異なった分布で熱量を与えて前記試料表面に温度分布を形成する加熱手段とを具備することを特徴とする周期配列構造のパターン形成装置。
【請求項５】
請求項４に記載のパターン形成装置において、
前記加熱手段は、赤外線光を前記化学増感型感光剤に対して部分的に走査する赤外線走査機構からなることを特徴とするパターン形成装置。
【請求項６】
請求項４に記載のパターン形成装置において、
前記加熱手段は、赤外線光を透過する部分と遮蔽する部分を有し前記化学増感型感光剤に対面して配置されるマスクと、該マスクに対して前記化学増感型感光剤と反対側から前記赤外線を一様に照射する赤外線光源とからなることを特徴とするパターン形成装置。
【請求項７】
請求項４に記載のパターン形成装置において、
前記加熱手段は、前記化学増感型感光剤に対面する側が凹凸形状に形成され所定の温度に加熱された加熱プレートからなることを特徴とするパターン形成装置。
【発明の詳細な説明】
【技術分野】
【０００１】
本発明は、半導体集積回路やオプトエレクトロニクスの分野、あるいは光通信分野で使用される平面光波回路（光集積回路）において、フォトニック結晶等の光の波長オーダーのパターン中に欠陥を導入した周期配列構造のパターン形成方法および形成装置に関するものである。
【背景技術】
【０００２】
近年、光の波長よりも小さな周期で配列した周期配列構造のパターンを屈折率の異なる２つの媒体で形成し、これに構造欠陥部分を作製して光の透過／遮断等を制御するフォトニック結晶の研究が精力的に行われている。具体的には、フォトニック結晶を利用した光導波路、フィルタ、レーザ、ＬＥＤなどの光機能素子の研究開発である。これらの研究開発では、周期的な配列構造のパターン中の一部分に構造欠陥を作製する必要がある。現在では、レチクルを使用した投影露光方式の光露法あるいはマスクを必要としない電子線露光法などのパターン形成方法を用いてこのような構造のパターンを作製している。半導体集積回路においてもこれらの露光法を利用してパターン形成をしている。
【０００３】
特にフォトニック結晶のような周期性をもつ配列構造のパターンの作製には、現在主として電子線露光法が用いられている。その理由は、現在は設計・作製・評価を一連の流れとしてこれを繰り返して研究を進めている段階であり、マスクを必要としない電子線露光法がパターン創製という点で優れ、かつプロセスが単純であるためである。光学素子に使用される電子線露光法には、主フィールド、副フィールド、ショットの接続に非常に高い精度が要求されている。単なる電気的な配線の場合と異なり、これらの精度が低いと作製した周期配列構造のパターンの周期性が乱れ、その結果として伝播する光が散乱あるいは反射してしまい、光学素子内での光の伝搬損失が大きくなって問題となるからである。
【０００４】
このような問題を避けるために、光の波としての性質を利用した２光波干渉露光法を用いて周期性をもつ配列構造のパターンを形成する方法が適用される場合がある。これは、回折格子あるいはグレーティングなどの素子に適用されている場合が多い。２光波干渉露光法では、一般にコヒーレントな光であるレーザ光をビームスプリッタで２つの光波に分波して干渉させるため、非常に周期性の高い配列構造のパターンを形成することができる。２光波干渉露光に関する従来文献として特許文献１がある。
【特許文献１】米国特許第５４１５８３５号公報
【発明の開示】
【発明が解決しようとする課題】
【０００５】
しかし、２光波干渉露光法は周期配列構造のパターンを高精度に作製できる反面、周期配列構造のパターンの中に一部分だけその周期性が壊れた構造を作製することができないという問題があった。このような構造の例として、フォトニック結晶のように周期性の高い配列構造でスラブ導波路を挟んだような光導波路構造などがある。
【０００６】
本発明の目的は、高精度な周期配列構造のパターンの中の所望領域にその周期性が壊れた構造持たせることができるようにした周期配列構造のパターン形成方法および形成装置を提供することにある。
【課題を解決するための手段】
【０００７】
請求項１にかかる発明の周期配列構造のパターン形成方法は、ひとつの光源で発生した略コヒーレントな光を複数の光波に分波し互いに干渉させて行う干渉露光法により、試料上面に予め塗布した化学増感型感光剤を周期配列構造のパターンで露光し、該化学増感型感光剤の露光後現像前の熱処理において前記化学増感型感光剤に与える熱量に分布を持たせ、前記露光された周期配列構造のパターンの内の一定温度以上に加熱された部分のみのパターンが現像されるようにしたことを特徴とする。
請求項２にかかる発明は、請求項１に記載のパターン形成方法において、前記露光後現像前の熱処理は、赤外線ランプあるいは赤外線レーザからの赤外線光により加熱して前記化学増感型感光剤に与える熱量に分布を持たせる処理であることを特徴とする。
請求項３にかかる発明は、請求項１に記載のパターン形成方法において、前記露光後現像前の熱処理は、凹凸形状の加熱プレートの凸部を前記化学増感型感光剤に接触又は近接させて加熱して前記化学増感型感光剤に与える熱量に分布を持たせる処理であることを特徴とする。
請求項４にかかる発明の周期配列構造のパターン形成装置は、ひとつの光源で発生した略コヒーレントな光を複数の光波に分波し互いに干渉させ、試料の上面に予め塗布した化学増感型感光剤を周期配列構造のパターンで露光する干渉露光手段と、該干渉露光手段により前記パターンで露光された前記化学増感型感光剤を有する前記試料に対して異なった分布で熱量を与えて前記試料表面に温度分布を形成する加熱手段とを具備することを特徴とする。
請求項５にかかる発明は、請求項４に記載のパターン形成装置において、前記加熱手段は、赤外線光を前記化学増感型感光剤に対して部分的に走査する赤外線走査機構からなることを特徴とする。
請求項６にかかる発明は、請求項４に記載のパターン形成装置において、前記加熱手段は、赤外線光を透過する部分と遮蔽する部分を有し前記化学増感型感光剤に対面して配置されるマスクと、該マスクに対して前記化学増感型感光剤と反対側から前記赤外線を一様に照射する赤外線光源とからなることを特徴とする。
請求項７にかかる発明は、請求項４に記載のパターン形成装置において、前記加熱手段は、前記化学増感型感光剤に対面する側が凹凸形状に形成され所定の温度に加熱された加熱プレートからなることを特徴とする。
【発明の効果】
【０００８】
本発明によれば、ひとつの光源で発生した略コヒーレントな光を複数の光波に分波し互いに干渉させて行う干渉露光法により、試料上面に予め塗布した化学増感型感光剤を周期配列構造のパターンで露光し、その化学増感型感光剤の露光後現像前の熱処理において化学増感型感光剤に与える熱量に分布を持たせ、その結果として試料表面に温度分布を形成するので、周期性の高い配列構造のパターン中の任意の場所に構造欠陥を形成できる。化学増感型感光剤の露光後現像前の熱処理において化学増感型感光剤に与える熱量に分布を持たせるには、赤外線ランプあるいは赤外線レーザからの赤外線光により加熱する、あるいは凹凸形状の加熱プレートの凸部を前記化学増感型感光剤に接触又は近接させて加熱するので、その熱処理も簡単に実現できる。
【発明を実施するための最良の形態】
【０００９】
本発明では、ウエハ等の試料の表面に化学増感型感光剤を塗布し、この化学増感型感光剤に複数の光波を使用する干渉露光法を用いた露光により周期配列構造のパターンを形成し、露光後で現像前のＰＥＢ（Post Exposure Bake)と呼ばれる熱処理により部分的に試料を所定温度にべークする。上記した化学増感型感光剤は、露光前べーク条件（温度、雰囲気、時間）、露光条件（露光波長、露光強度、露光時間）、露光後現像前のＰＥＢ条件（温度、雰囲気、時間）によって、形成（現像）されるパターンの品質が決まる感光剤である。例えば、適当な温度でＰＥＢ処理を行うと周期配列構造のパターンが現像される露光量であっても、ＰＥＢ温度が低いと全く現像されないことがある。
【００１０】
本発明ではこの特性を利用して、試料上の化学増感型感光剤を干渉露光法により露光して全面に一様に周期配列構造のパターン（潜像）を形成し、次にＰＥＢ処理時に加熱温度に不均一な分布を持たせることにより、適正露光条件とＰＥＢの適正温度条件の両方を満たした領域でのみ周期配列構造のパターンの形成（現像）が行われるようにし、露光されてもＰＥＢの適正温度条件を満たさない領域ではそのパターンが形成されないようにして、周期配列構造のパターン中に構造欠陥を導入する。
【００１１】
選択的に試料表面の化学増感型感光剤をベークするには、赤外線レーザ光を走査して加熱する、マスクを試料に対向近接させて裏面より赤外線光を一様照射して加熱する、凹凸形状の加熱プレートを試料表面に接触又は近接させて加熱する、などの方法がある。
【００１２】
赤外線レーザ光を使用する場合には、赤外線レーザ光源、スイッチまたはシャッター、赤外線レーザ光を２次元的に試料上の化学増感型感光剤に走査する機構等を有する赤外線走査機構を使用して、赤外線レーザ光を試料表面上の化学増感型感光剤の所望の部分のみに走査して当該所望の部分のみを加熱する。
【００１３】
また、マスクを使用する場合は、赤外線光を透過する部分と遮光する部分で構成されたマスクに赤外線ランプ等の赤外線光源からの赤外線光を一様に照射し、赤外線光を透過する部分を透過した赤外線光を利用して部分的に試料表面の化学増感型感光剤を加熱する。
【００１４】
加熱プレートを使用する場合には、その加熱プレートの表面（試料に対向するする面）を凹凸形状に形成する。試料上の化学増感型感光剤は、凸部が接近した部分のみＰＥＢ条件を満たし、凹部に対応する部分は温度が低すぎてＰＥＢ条件を満たさないようにする。ＰＥＢ条件を満たさない部分には、化学増感型感光剤の反応メカニズムで重要な役割を果たす酸の発生量が少なすぎて反応が進まず、たとえ十分な露光量が与えられていても最終的な周期配列構造のパターンを現像することができない。
【００１５】
以上のようにして、本発明では、試料表面上の化学増感型感光剤に周期配列構造のパターンを一様に露光して潜像を形成し、その潜像の内の適当なＰＥＢ条件を満足した部分の周期配列構造のパターンのみが現像されるようにする。
【００１６】
図１は周期配列構造のパターンの露光（潜像形成）を行うための２光波干渉露光装置（干渉露光手段）の構成図である。ウエハ等の試料１１４の表面には、使用するレーザ光により潜像が形成される化学増感型感光剤１１３をあらかじめ塗布しておき、その塗布の後で露光前にベーク処理をしておく。図１に示した２光波干渉露光装置では、レーザ光１０１がビームスプリッタ１０２で２つの分波光１０３，１０４に分波され、それぞれの分波光１０３，１０４はミラー１０５，１０６で光路を変更され、レンズ１０７，１０８で集光され、ピンホール板１０９，１１０を通過することにより回折光１１１，１１２となり、化学増感型感光剤１１３に対して異なる角度で照射され、そこで光波干渉が起こり、化学増感型感光剤１１３には非常に良い周期性を持ったライン・アンド・スペース状の周期配列構造のパターンの強度分布の光となって到達する。
【００１７】
化学増感型感光剤１１３の光の強度が強い部分は、適当な温度でＰＥＢ処理するとボジ（ネガ）型感光剤の場合には溶解（不溶化）する。光の強度の弱い部分は、適当な温度でＰＥＢ処理しても溶解（不溶化）しない。さらに、光の強度が強くてもＰＥＢ処理条件が適当でないと、ボジ（ネガ）型感光剤は溶解（不溶化）しない。本発明では、露光により周期配列構造のパターンの潜像が形成された化学増感型感光剤に対して、部分的にＰＥＢ条件を満たすように、部分的な加熱処理を行う。以下にその部分的な加熱処理を行う実施例を示す。
【実施例１】
【００１８】
図２は赤外線レーザ光を利用して化学増感型感光剤１１３を部分的に加熱する赤外線走査機構の構成図である。ここでは、部分的に試料１１４の表面の化学増感型感光剤１１３を加熱するために、化学増感型感光剤１１３を感光させない波長のレーザ光として赤外線レーザ光を用いる。赤外線レーザ光源２０１から出射した赤外線レーザ光２０２は、ミラー２０３、スイッチング用可動ミラー２０４を経由し、回転多面鏡２０５とｆθレンズ２０６を使用した光走査光学系２０７により走査光２０８となり、化学増感型感光剤１１３上を走査される。このとき、試料１４を走査光の走査方向（主走査方向）と直交する方向（副走査方向）に移動させれば、化学増感型感光剤１１３の所定の領域のみが加熱される。走査光を主走査方向と直交する副走査方向に同時に移動させても良い。レーザ光はスイッチング用可動ミラー２０４によってＯＮ／ＯＦＦされる。
【００１９】
光走査光学系２０７はレーザ光を走査するための機構であれば、回転多面鏡２０５とｆθレンズ２０６の組み合わせ以外でもかまわない。さらに、スイッチング用可動ミラー２０４は、これに限られず、光走査光学系２０７に同期した回折格子型の反射スイッチング素子やＤＭＤなどの反射スイッチング素子などを使用して、レーザ光のＯＮ／ＯＦＦを制御するものでも良い。以上により、スイッチング用可動ミラー２０４等のスイッチング素子と光走査光学系２０７を組み合わせて任意の部分に赤外線レーザ光を照射できるようになる。なお、レーザ光のＯＮ／ＯＦＦと走査が可能であれば、これ以外の赤外線走査機構を使用しても良い。
【００２０】
以上のような赤外線レーザ光の走査とその走査のＯＮ／ＯＦＦのスイッチングが可能な赤外線走査機構を使用することで、化学増感型感光剤１１３に所望のパターンの熱分布を実現することができるようになる。十分な光強度で露光され、かつ、適当なＰＥＢ温度条件を満たすような熱量が与えられた領域は、化学増感型感光剤１１３の変質（ボジ型なら可溶化、ネガ型なら不溶化）が生じる。
【００２１】
周期配列構造のパターンの形成においては、露光時の光の強度分布とＰＥＢ処理時の温度分布の２つで、感光剤変質の条件を制御することができる。この場合には、露光前べーク処理条件はパターン形成に必要な適当な条件とする。もちろんＰＥＢ処理条件を適当に選択して、露光強度と露光前ベーク処理条件をパラメータとして感光剤変質の条件を制御しても良いが、ＰＥＢ処理条件で制御したほうが制御性が良い。
【００２２】
以上の結果、２光波干渉露光装置を使用して露光した非常に精度の高い周期配列構造のパターンを試料表面の特定の領域のみに形成することができる。また、露光により潜像として形成された周期配列構造のパターンの内のある領域だけ選択的にＰＥＢ温度を上げないことが可能となり、その領域のみ最終的な周期配列構造のパターンとして現像されないようにすることができる。その場合には周期配列構造のパターン中に構造欠陥が導入されることになる。
【００２３】
例えば、東京応化製の化学増感型感光剤（THMR-iP3650HP）を使用して、露光前べークを９０℃で６０秒行い、適正露光量で露光して周期配列構造のパターンの潜像を形成し、その後ＰＥＢを１１０℃で９０秒行うと、適当なアルカリ現像液で現像した後に周期配列構造のパターンが形成されるが、ＰＥＢ温度の低い領域（例えば５０℃など）では周期配列構造のパターンは形成されない。温度差をどの程度必要とするかは、使用する感光剤の種類と膜厚、露光条件などに強く依存する。
【実施例２】
【００２４】
図３は赤外線遮光マスクと赤外線を利用して化学増感型感光剤を部分的に加熱する機構の説明図である。ここでは、部分的に試料１１４の表面の化学増感型感光剤１１３を加熱するために、赤外線光源３０１として赤外線レーザ光あるいは赤外線ランプを用いる。赤外線光源３０１から放出された赤外線光３０３はレンズ３０２により光強度が均一な広い断面積の赤外線光３０３となる。この赤外線光３０３は、試料１１４の表面に対向して配置されパターニングされた赤外線遮光マスク３０６を通して試料１１４の表面の化学増感型感光剤１１３に照射される。赤外線遮光マスク３０６は、赤外線を透過させる材質からなる支持材３０４と赤外線を遮光するためのメタル３０５からなり、支持材３０４の赤外線を遮光したい部分にのみメタル３０５を配置したもので、赤外線透過部分と赤外線遮断部分により所望の形状のパターンが形成されている。
【００２５】
この赤外線遮光マスク３０６は、光露光法に使用されるマスクのような構造をしていても良いし、Ｘ線マスクのような薄い赤外線透過材に赤外線遮光メタルを配置したものでも良い。また所望の形状によっては、ステンシル構造を採用しても良い。このような赤外線遮光マスク３０６と赤外線照射装置を使用することで、化学増感型感光剤１１３上に所望のパターンの熱分布を実現することができるようになる。
【００２６】
十分な強度で露光され、かつ、ＰＥＢ温度条件を満たすような熱量が与えられた化学増感型感光剤１１３の領域は、感光剤の変質（ボジ型なら可溶化、ネガ型なら不溶化）が生じる。露光時の光の強度分布とＰＥＢ処理時の温度分布の２つで、感光剤変質の条件を制御することができる。
【００２７】
以上の結果、２光波干渉露光装置を使用して露光した非常に精度の高い周期配列構造のパターンを試料表面の特定の領域のみに形成することができる。また、露光により潜像として形成された周期配列構造のパターンの内のある領域だけ選択的にＰＥＢ温度を上げないことが可能となり、その領域のみ最終的な周期配列構造のパターンとして現像されないようにすることができる。その場合には周期配列構造のパターン中に構造欠陥が導入されることになる。
【００２８】
例えば、東京応化製の化学増感型感光剤（THMR-iP3650HP）を使用して、露光前べークを９０℃で６０秒行い、適正露光量で露光して周期配列構造のパターンの潜像を形成し、その後ＰＥＢを１１０℃で９０秒行うと、適当なアルカリ現像液で現像した後に周期配列構造のパターンが形成されるが、ＰＥＢ温度の低い領域（例えば５０℃など）では周期配列構造のパターンは形成されない。温度差をどの程度必要とするかは、使用する感光剤の種類と膜厚、露光条件などに強く依存する。
【００２９】
なお、赤外線遮光マスクとしてアルミで作製されたステンシルマスクを用い、これと赤外線ランプを使用して、赤外線を化学増感型感光剤１１３の表面に照射すると、照射された部分の温度が上昇してＰＥＢ条件を満たすことができ、その結果としてその領域に周期配列構造のパターンを形成することができる。ステンシルマスクの材料は、赤外線を遮光するものであれば、どんな材料を使用してもかまわない。
【実施例３】
【００３０】
図４は凹凸形状の加熱プレートを利用して化学増感型感光剤を部分的に加熱する機構の説明図である。部分的に試料１１４の表面の感光剤１１３を加熱するために、表面が凹凸形状に形成された加熱プレート４０１を用いる。４０２は凸部、４０３は凹部である。加熱プレート４０１の材質は金属でも良いしガラスなどの絶縁物でもかまわない。加熱プレート４０１を比較的長い時間にわたって試料１１４に近接させる場合には、加熱プレート４０１の試料１１４と対面しない面をヒータにより加熱することで、加熱プレート４０１の試料１１４と対面する面の温度を制御し制御性と再現性を向上させることができる。
【００３１】
ここで、化学増感型感光剤１１３を塗布した試料１１４としてのウエハ５０１を２光波干渉露光法で露光して凹凸形状の加熱プレート４０１で加熱してＰＥＢする手法について図５を参照して説明する。
【００３２】
まず、化学増感型感光剤１１３を塗布したウエハ５０１に対して２光干渉露光装置で発生した光により露光を行う（図５(a)）。５０２はその光の強度分布である。この露光によって、化学増感型感光剤１１３には、露光した強度に相関して潜像５０３が形成される（図５(b)）。このウエハ５０１に、予め設定した温度に加熱した凹凸形状の加熱プレート４０１（図５(c)）を、凸部４０２と凹部４０３のパターンを有する面がウエハ５０１の化学増感型感光剤１１３の塗布された面に対向するように近接させる（図５(d)）。加熱プレート４０１を化学増感型感光剤１１３に接触させても良いが、場合によってはパターンが崩れる可能性がある。近接させることで、加熱プレート４０１の凸部４０２に近接した感光剤部分がＰＥＢ条件を満たし、凹部４０３に近接した感光剤部分がＰＥＢ条件を満たさないように、加熱プレート４０１の材質・凹凸の深さ・凹凸の形状・温度などの条件は予め決定しておく。このように表面が凹凸形状の加熱プレート４０１を使用することで、所望のパターンの熱分布を化学増感型感光剤１１３上に実現することができるようになる。化学増感型感光剤１１３において、十分な強度で露光され、かつ、ＰＥＢ温度条件を満たすような熱量が与えられた加熱領域５０４（図５(e)）には、感光剤の変質（ボジ型なら可溶化、ネガ型なら不溶化）が生じる。露光時の光の強度分布とＰＥＢ処理時の温度分布の２つで、感光剤変質の条件を制御することができる。
【００３３】
以上の結果、２光波干渉露光装置を使用して露光した非常に精度の高い周期配列構造のパターン５０５を試料表面の特定の領域のみに形成することができる（図５(f)）。また、露光により潜像として形成された周期配列構造のパターンの内のある領域だけ選択的にＰＥＢ温度を上げないことが可能となり、その領域のみ最終的な周期配列構造のパターンとして現像されないようにすることができる。その場合には周期配列構造のパターン中に構造欠陥が導入されることになる。
【００３４】
例えば、東京応化製の化学増感型感光剤（THMR-iP3650HP）を使用して、露光前べークを９０℃で６０秒行い、適正露光量で露光して周期配列構造のパターンの潜像を形成し、その後ＰＥＢを１１０℃で９０秒行うと、適当なアルカリ現像液で現像した後に周期配列構造のパターンが形成されるが、ＰＥＢ温度の低い領域（例えば５０℃など）では周期配列構造のパターンは形成されない。温度差をどの程度必要とするかは、使用する感光剤の種類と膜厚、露光条件などに強く依存する。
【００３５】
この場合、ヒータを内蔵し表面に凹凸を有する加熱プレートを周期配列構造のパターンの潜像を形成した化学増感型感光剤に近接させるとき、そのギャップを０μｍ〜数ｍｍにすると、凸部が近接した部分の化学増感型感光剤の温度がＰＥＢ条件を満たした際に、その部分にのみ周期配列構造のパターンが形成される。
【図面の簡単な説明】
【００３６】
【図１】２光波干渉露光装置の構成図である。
【図２】赤外線走査機構の構成図である。
【図３】マスクを使用して赤外線を部分的に照射して加熱する機構の構成図である。
【図４】凹凸形状の加熱プレートを使用して加熱する機構の構成図である。
【図５】ウエハ上の化学増感感光剤に対し露光し凹凸形状の加熱プレートを使用して加熱する処理の説明図である。
【符号の説明】
【００３７】
１０１：レーザ光
１０２：ビームスプリッタ
１０３，１０４：分波光
１０５，１０６：ミラー
１０７，１０８：レンズ
１０９，１１０：ピンホール板
１１１，１１２：回折光
１１３：化学増感型感光剤
１１４：試料
２０１：レーザ光源
２０２：レーザ光
２０３：ミラー
２０４：スイッチング用可動ミラー
２０５：回転多面鏡
２０６：ｆθレンズ
２０７：光走査光学系
２０８：走査光
３０１：赤外線光源
３０２：レンズ
３０３：赤外線光
３０４：支持材
３０５：メタル
３０６：赤外線遮光マスク
４０１：凹凸形状の加熱プレート
４０２：凸部
４０３：凹部
５０１：ウエハ
５０２：露光光の強度分布
５０３：潜像
５０４：加熱領域
５０５：現像後のパターン
【図１】
2005099537.tif 000003
【図２】
2005099537.tif 000004
【図３】
2005099537.tif 000005
【図４】
2005099537.tif 000006
【図５】
2005099537.tif 000007